(57)【要約】ＣＳ（Circuit Switched）端末をＲＮＣ（Radio Network Controller）を介してＩＭＳ（IP Multimedia Subsystem）に接続し、前記ＲＮＣでＩｕ−ＵＰ（Iu-User Plane）が終端される通信ネットワークシステムにおいて、ＲＮＣに対してＩｕＵＰネゴシエーション結果情報を要求し、ＲＮＣからＩｕＵＰネゴシエーション結果情報を受信するＩｕＵＰネゴシエーション結果情報取得装置と、ＩｕＵＰネゴシエーション結果情報を前記ＩｕＵＰネゴシエーション結果情報取得装置から受信し、ＣＳ端末とＩＭＳとを接続するときに、ＩｕＵＰネゴシエーション結果情報を用いて、ＩｕＵＰプロトコルとＩＭＳで用いるプロトコルとの間のプロトコル変換を行うインターワーキング装置とを有する。
2010008045.tif 000002
【特許請求の範囲】
【請求項１】
ＣＳ（Circuit Switched）端末をＲＮＣ（Radio Network Controller）を介してＩＭＳ（IP Multimedia Subsystem）に接続し、前記ＲＮＣでＩｕ−ＵＰ（Iu-User Plane）が終端される通信ネットワークシステムにおいて、
前記ＲＮＣに対してＩｕＵＰネゴシエーション結果情報を要求し、前記ＲＮＣから前記ＩｕＵＰネゴシエーション結果情報を受信するＩｕＵＰネゴシエーション結果情報取得装置と、
前記ＩｕＵＰネゴシエーション結果情報を前記ＩｕＵＰネゴシエーション結果情報取得装置から受信し、前記ＣＳ端末と前記ＩＭＳとを接続するときに、前記ＩｕＵＰネゴシエーション結果情報を用いて、ＩｕＵＰプロトコルと前記ＩＭＳで用いるプロトコルとの間のプロトコル変換を行うインターワーキング装置と、
を有する通信ネットワークシステム。
【請求項２】
前記インターワーキング装置と前記ＩｕＵＰネゴシエーション結果情報取得装置との前記ＩｕＵＰネゴシエーション結果情報の通信にＭＥＧＡＣＯ（Media Gateway Controller protocol）プロトコルを採用し、
当該ＭＥＧＡＣＯプロトコル内に記述するＳＤＰ（Session Description Protocol）に新たに定義を追加することにより前記インターワーキング装置と前記ＩｕＵＰネゴシエーション結果情報取得装置との間での前記ＩｕＵＰネゴシエーション結果情報の送受信をすることを特徴とする請求項１に記載の通信ネットワークシステム。
【請求項３】
前記インターワーキング装置におけるプロトコルの変換は、ＩｕＵＰプロトコルと、ＲＦＣ３２６７に準拠するプロトコルと、のベアラプロトコル変換であることを特徴とする請求項１又は２に記載の通信ネットワークシステム。
【請求項４】
Ｉｕ−ＵＰ（Iu-User Plane）が終端されるＲＮＣからＩｕＵＰネゴシエーション結果情報を取得するＩｕＵＰネゴシエーション結果情報取得装置とネットワークを介して接続されるとともに、前記ＲＮＣとＩＭＳ（IP Multimedia Subsystem）との間に配置され、
前記ＩｕＵＰネゴシエーション結果情報取得装置から前記ＩｕＵＰネゴシエーション結果情報を受信する情報管理部と、
前記情報管理部から得られた前記ＩｕＵＰネゴシエーション結果情報を保持し、このＩｕＵＰネゴシエーション結果情報を用いて、ＩｕＵＰプロトコルと前記ＩＭＳで用いるプロトコルとの間のプロトコル変換を行うプロトコル変換部と、
を有するインターワーキング装置。
【請求項５】
前記プロトコル変換は、前記ＩｕＵＰプロトコルと、ＲＦＣ３２６７に準拠するプロトコルと、のベアラプロトコル変換であることを特徴とする請求項４に記載のインターワーキング装置。
【請求項６】
ＲＮＣに接続されるとともに、前記ＲＮＣとＩＭＳ（IP Multimedia Subsystem）との間に配置され且つＩｕＵＰプロトコルと前記ＩＭＳで用いるプロトコルとの間のプロトコル変換を行うインターワーキング装置に接続され、
前記ＲＮＣに対してＩｕＵＰネゴシエーション結果情報を要求し、前記ＲＮＣから前記ＩｕＵＰネゴシエーション結果情報を受信する制御部と、
受信した前記ＩｕＵＰネゴシエーション結果情報を前記インターワーキング装置に送信する情報管理部と、
を有するＩｕＵＰネゴシエーション結果情報取得装置。
【請求項７】
前記インターワーキング装置との通信にＭＥＧＡＣＯプロトコルを採用し、当該ＭＥＧＡＣＯプロトコル内に記述するＳＤＰに新たに定義を追加することにより前記インターワーキング装置に前記ＩｕＵＰネゴシエーション結果情報の送信することを特徴とする請求項６に記載のＩｕＵＰネゴシエーション結果情報取得装置。
【請求項８】
ＣＳ（Circuit Switched）端末をＲＮＣ（Radio Network Controller）を介してＩＭＳ（IP Multimedia Subsystem）に接続し、前記ＲＮＣでＩｕ−ＵＰ（Iu-User Plane）が終端される通信ネットワークシステムのＩｕ−ＵＰプロトコルのネゴシエーション結果情報の通知方法において、
ＩｕＵＰネゴシエーション結果情報取得装置が、前記ＲＮＣに対してＩｕＵＰネゴシエーション結果情報を要求し、前記ＲＮＣから前記ＩｕＵＰネゴシエーション結果情報を受信し、
インターワーキング装置が、前記ＩｕＵＰネゴシエーション結果情報を前記ＩｕＵＰネゴシエーション結果情報取得装置から受信し、前記ＣＳ端末と前記ＩＭＳとを接続するときに、前記ＩｕＵＰネゴシエーション結果情報を用いて、ＩｕＵＰプロトコルと前記ＩＭＳで用いるプロトコルとの間のプロトコル変換を行う、
ことを特徴とするＩｕ−ＵＰプロトコルのネゴシエーション結果情報の通知方法。
【請求項９】
前記インターワーキング装置と前記ＩｕＵＰネゴシエーション結果情報取得装置との前記ＩｕＵＰネゴシエーション結果情報の通信にＭＥＧＡＣＯプロトコルを採用し、
当該ＭＥＧＡＣＯプロトコル内に記述するＳＤＰに新たに定義を追加することにより前記インターワーキング装置と前記ＩｕＵＰネゴシエーション結果情報取得装置との間での前記ＩｕＵＰネゴシエーション結果情報の送受信することを特徴とする請求項８に記載のＩｕ−ＵＰプロトコルのネゴシエーション結果情報の通知方法。
【請求項１０】
前記インターワーキング装置におけるプロトコルの変換はＩｕＵＰプロトコルと、ＲＦＣ３２６７に準拠するプロトコルと、のベアラプロトコル変換であることを特徴とする請求項８又は９に記載のＩｕ−ＵＰプロトコルのネゴシエーション結果情報の通知方法。
【請求項１１】
Ｉｕ−ＵＰ（Iu-User Plane）が終端されるＲＮＣからＩｕＵＰネゴシエーション結果情報を取得するＩｕＵＰネゴシエーション結果情報取得装置とネットワークを介して接続され、前記ＲＮＣとＩＭＳ（IP Multimedia Subsystem）との間に配置されたインターワーキング装置のプロトコル変換方法において、
前記ＩｕＵＰネゴシエーション結果情報取得装置から前記ＩｕＵＰネゴシエーション結果情報を受信し、
受信した前記ＩｕＵＰネゴシエーション結果情報を用いて、ＩｕＵＰプロトコルと前記ＩＭＳで用いるプロトコルとの間のプロトコル変換を行うプロトコル変換方法。
【請求項１２】
前記プロトコル変換は、前記ＩｕＵＰプロトコルと、ＲＦＣ３２６７に準拠するプロトコルと、のベアラプロトコル変換であることを特徴とする請求項１１に記載のプロトコル変換方法。
【請求項１３】
ＲＮＣに接続されるとともに、前記ＲＮＣとＩＭＳ（IP Multimedia Subsystem）との間に配置され且つＩｕＵＰプロトコルと前記ＩＭＳで用いるプロトコルとの間のプロトコル変換を行うインターワーキング装置に接続されるＩｕＵＰネゴシエーション結果情報取得装置のＩｕ−ＵＰプロトコルのネゴシエーション結果情報の通知方法において、
前記ＲＮＣに対してＩｕＵＰネゴシエーション結果情報を要求し、
前記ＲＮＣから前記ＩｕＵＰネゴシエーション結果情報を受信し、
受信した前記ＩｕＵＰネゴシエーション結果情報を前記インターワーキング装置に送信するＩｕ−ＵＰプロトコルのネゴシエーション結果情報の通知方法。
【請求項１４】
前記インターワーキング装置との通信にＭＥＧＡＣＯプロトコルを採用し、当該ＭＥＧＡＣＯプロトコル内に記述するＳＤＰに新たに定義を追加することにより前記インターワーキング装置に前記ＩｕＵＰネゴシエーション結果情報の送信することを特徴とする請求項１３に記載のＩｕ−ＵＰプロトコルのネゴシエーション結果情報の通知方法。
【請求項１５】
Ｉｕ−ＵＰ（Iu-User Plane）が終端されるＲＮＣからＩｕＵＰネゴシエーション結果情報を取得するＩｕＵＰネゴシエーション結果情報取得装置とネットワークを介して接続され、前記ＲＮＣとＩＭＳ（IP Multimedia Subsystem）との間に配置されたインターワーキング装置として機能するコンピュータに、
前記ＩｕＵＰネゴシエーション結果情報取得装置から前記ＩｕＵＰネゴシエーション結果情報を受信する処理と、
受信した前記ＩｕＵＰネゴシエーション結果情報を用いて、ＩｕＵＰプロトコルと前記ＩＭＳで用いるプロトコルとの間のプロトコル変換を行う処理と、
を行わせるプログラムを記録するコンピュータ読み取り可能な情報記録媒体。
【請求項１６】
前記プロトコル変換は、前記ＩｕＵＰプロトコルと、ＲＦＣ３２６７に準拠するプロトコルと、のベアラプロトコル変換であることを特徴とする請求項１５に記載のコンピュータ読み取り可能な情報記録媒体。
【請求項１７】
ＲＮＣに接続されるとともに、前記ＲＮＣとＩＭＳ（IP Multimedia Subsystem）との間に配置され且つＩｕＵＰプロトコルと前記ＩＭＳで用いるプロトコルとの間のプロトコル変換を行うインターワーキング装置に接続されるＩｕＵＰネゴシエーション結果情報取得装置として機能するコンピュータに、  
前記ＲＮＣに対してＩｕＵＰネゴシエーション結果情報を要求する処理と、
前記ＲＮＣから前記ＩｕＵＰネゴシエーション結果情報を受信する処理と、
受信した前記ＩｕＵＰネゴシエーション結果情報を前記インターワーキング装置に送信する処理と、
を行わせるプログラムを記録するコンピュータ読み取り可能な情報記録媒体。
【請求項１８】
前記インターワーキング装置との通信にＭＥＧＡＣＯプロトコルを採用し、当該ＭＥＧＡＣＯプロトコル内に記述するＳＤＰに新たに定義を追加することにより前記インターワーキング装置に前記ＩｕＵＰネゴシエーション結果情報の送信することを特徴とする請求項１５に記載のコンピュータ読み取り可能な情報記録媒体。
【発明の詳細な説明】
【技術分野】
【０００１】
本発明はＩｕ−ＵＰプロトコルのネゴシエーション結果情報の通知方法、通信ネットワークシステム及びコンピュータ読み取り可能な情報記録媒体に関する。
【背景技術】
【０００２】
ＩＭＳ（ＩＰ Ｍｕｌｔｉｍｅｄｉａ Ｓｕｂｓｙｓｔｅｍ）は、ＩＰベースのマルチメディアサービスを第３世代携帯電話や無線ＬＡＮへアクセス網に依存せずに提供するサブシステムであり、ＩＰベースのサービスの提供だけでなく、ＰＳＴＮ（公衆交換電話網）と接続し、サービスを提供することを可能としている。【０００３】
ＩＭＳは、ＰＳドメイン上に構築されるサブシステムであるため、ＣＳドメインとは独立している。そのため、３ＧのＣＳ端末に、既存のシステムに影響させることなく、ＩＭＳサービスを提供するためには、ＣＳドメインで使用しているＩｕ−ＵＰプロトコルをＩＭＳで使用しているベアラプロトコルにベアラプロトコル変換することが求められる。【０００４】
Ｉｕ−ＵＰプロトコルに関連する技術として特許文献１に記載の技術が挙げられる。特許文献１に記載の技術を利用することにより、無線網側のスイッチにおいて、Ｉｕ−ＵＰプロトコルのチェック及びデータ処理を行うことが可能となる。
【先行技術文献】
【特許文献】
【０００５】
【特許文献１】特開２００３−１０１５７８号公報
【発明の開示】
【発明が解決しようとする課題】
【０００６】
本発明はＩｕ−ＵＰ（Iu-User Plane）がＲＮＣで終端しているシステムにおいて、ＲＮＣが保持しているＩｕＵＰのネゴシエーション結果をＩＷＦ装置に通知することが可能であり、ＲＢＴ（Ring Back Tone）等の音源接続のためのＭＲＦ接続を実現できるＩｕ−ＵＰプロトコルのネゴシエーション結果情報の通知方法、プロトコル変換方法、通信ネットワークシステム、インターワーキング装置、ＩｕＵＰネゴシエーション結果情報取得装置及びコンピュータ読み取り可能な情報記録媒体を提供することを典型的(exemplary)な目的とする。
【課題を解決するための手段】
【０００７】
本発明の典型的(exemplary)な第１の観点によれば、ＣＳ（Circuit Switched）端末をＲＮＣ（Radio Network Controller）を介してＩＭＳ（IP Multimedia Subsystem）に接続し、前記ＲＮＣでＩｕ−ＵＰ（Iu-User Plane）が終端される通信ネットワークシステムにおいて、
前記ＲＮＣに対してＩｕＵＰネゴシエーション結果情報を要求し、前記ＲＮＣから前記ＩｕＵＰネゴシエーション結果情報を受信するＩｕＵＰネゴシエーション結果情報取得装置と、
前記ＩｕＵＰネゴシエーション結果情報を前記ＩｕＵＰネゴシエーション結果情報取得装置から受信し、前記ＣＳ端末と前記ＩＭＳとを接続するときに、前記ＩｕＵＰネゴシエーション結果情報を用いて、ＩｕＵＰプロトコルと前記ＩＭＳで用いるプロトコルとの間のプロトコル変換を行うインターワーキング装置と、
を有する通信ネットワークシステムが提供される。【０００８】
本発明の典型的(exemplary)な第２の観点によれば、Ｉｕ−ＵＰ（Iu-User Plane）が終端されるＲＮＣからＩｕＵＰネゴシエーション結果情報を取得するＩｕＵＰネゴシエーション結果情報取得装置とネットワークを介して接続されるとともに、前記ＲＮＣとＩＭＳ（IP Multimedia Subsystem）との間に配置され、
前記ＩｕＵＰネゴシエーション結果情報取得装置から前記ＩｕＵＰネゴシエーション結果情報を受信する情報管理部と、
前記情報管理部から得られた前記ＩｕＵＰネゴシエーション結果情報を保持し、このＩｕＵＰネゴシエーション結果情報を用いて、ＩｕＵＰプロトコルと前記ＩＭＳで用いるプロトコルとの間のプロトコル変換を行うプロトコル変換部と、
を有するインターワーキング装置が提供される。【０００９】
本発明の典型的(exemplary)な第３の観点によれば、ＲＮＣに接続されるとともに、前記ＲＮＣとＩＭＳ（IP Multimedia Subsystem）との間に配置され且つＩｕＵＰプロトコルと前記ＩＭＳで用いるプロトコルとの間のプロトコル変換を行うインターワーキング装置に接続され、
前記ＲＮＣに対してＩｕＵＰネゴシエーション結果情報を要求し、前記ＲＮＣから前記ＩｕＵＰネゴシエーション結果情報を受信する制御部と、
受信した前記ＩｕＵＰネゴシエーション結果情報を前記インターワーキング装置に送信する情報管理部と、
を有することを特徴とするＩｕＵＰネゴシエーション結果情報取得装置が提供される。【００１０】
本発明の典型的(exemplary)な第４の観点によれば、ＣＳ（Circuit Switched）端末をＲＮＣ（Radio Network Controller）を介してＩＭＳ（IP Multimedia Subsystem）に接続し、前記ＲＮＣでＩｕ−ＵＰ（Iu-User Plane）が終端される通信ネットワークシステムのＩｕ−ＵＰプロトコルのネゴシエーション結果情報の通知方法において、
ＩｕＵＰネゴシエーション結果情報取得装置が、前記ＲＮＣに対してＩｕＵＰネゴシエーション結果情報を要求し、前記ＲＮＣから前記ＩｕＵＰネゴシエーション結果情報を受信し、
インターワーキング装置が、前記ＩｕＵＰネゴシエーション結果情報を前記ＩｕＵＰネゴシエーション結果情報取得装置から受信し、前記ＣＳ端末と前記ＩＭＳとを接続するときに、前記ＩｕＵＰネゴシエーション結果情報を用いて、ＩｕＵＰプロトコルと前記ＩＭＳで用いるプロトコルとの間のプロトコル変換を行う、
ことを特徴とするＩｕ−ＵＰプロトコルのネゴシエーション結果情報の通知方法が提供される。【００１１】
本発明の典型的(exemplary)な第５の観点によれば、Ｉｕ−ＵＰ（Iu-User Plane）が終端されるＲＮＣからＩｕＵＰネゴシエーション結果情報を取得するＩｕＵＰネゴシエーション結果情報取得装置とネットワークを介して接続され、前記ＲＮＣとＩＭＳ（IP Multimedia Subsystem）との間に配置されたインターワーキング装置のプロトコル変換方法において、
前記ＩｕＵＰネゴシエーション結果情報取得装置から前記ＩｕＵＰネゴシエーション結果情報を受信し、
受信した前記ＩｕＵＰネゴシエーション結果情報を用いて、ＩｕＵＰプロトコルと前記ＩＭＳで用いるプロトコルとの間のプロトコル変換を行うプロトコル変換方法が提供される。【００１２】
本発明の典型的(exemplary)な第６の観点によれば、ＲＮＣに接続されるとともに、前記ＲＮＣとＩＭＳ（IP Multimedia Subsystem）との間に配置され且つＩｕＵＰプロトコルと前記ＩＭＳで用いるプロトコルとの間のプロトコル変換を行うインターワーキング装置に接続されるＩｕＵＰネゴシエーション結果情報取得装置のＩｕ−ＵＰプロトコルのネゴシエーション結果情報の通知方法において、
前記ＲＮＣに対してＩｕＵＰネゴシエーション結果情報を要求し、
前記ＲＮＣから前記ＩｕＵＰネゴシエーション結果情報を受信し、
受信した前記ＩｕＵＰネゴシエーション結果情報を前記インターワーキング装置に送信するＩｕ−ＵＰプロトコルのネゴシエーション結果情報の通知方法が提供される。【００１３】
本発明の典型的(exemplary)な第７の観点によれば、Ｉｕ−ＵＰ（Iu-User Plane）が終端されるＲＮＣからＩｕＵＰネゴシエーション結果情報を取得するＩｕＵＰネゴシエーション結果情報取得装置とネットワークを介して接続され、前記ＲＮＣとＩＭＳ（IP Multimedia Subsystem）との間に配置されたインターワーキング装置として機能するコンピュータに、
前記ＩｕＵＰネゴシエーション結果情報取得装置から前記ＩｕＵＰネゴシエーション結果情報を受信する処理と、
受信した前記ＩｕＵＰネゴシエーション結果情報を用いて、ＩｕＵＰプロトコルと前記ＩＭＳで用いるプロトコルとの間のプロトコル変換を行う処理と、
を行わせるプログラムを記録するコンピュータ読み取り可能な情報記録媒体が提供される。【００１４】
本発明の典型的(exemplary)な第８の観点によれば、ＲＮＣに接続されるとともに、前記ＲＮＣとＩＭＳ（IP Multimedia Subsystem）との間に配置され且つＩｕＵＰプロトコルと前記ＩＭＳで用いるプロトコルとの間のプロトコル変換を行うインターワーキング装置に接続されるＩｕＵＰネゴシエーション結果情報取得装置として機能するコンピュータに、  
前記ＲＮＣに対してＩｕＵＰネゴシエーション結果情報を要求する処理と、
前記ＲＮＣから前記ＩｕＵＰネゴシエーション結果情報を受信する処理と、
受信した前記ＩｕＵＰネゴシエーション結果情報を前記インターワーキング装置に送信する処理と、
を行わせるプログラムを記録するコンピュータ読み取り可能な情報記録媒体が提供される。
【発明の効果】
【００１５】
本発明によれば、ＲＮＣで終端しているシステムにおいて、ＲＮＣが保持しているＩｕＵＰのネゴシエーション結果をＩＷＦ装置に通知することから、ＲＢＴ等の音源接続のためのＩＭＳ接続を実現することが可能となる。
【図面の簡単な説明】
【００１６】
【図１】本発明に係わる通信ネットワークシステムの一実施形態の構成を示すブロック図である。
【図２】本発明の実施形態の基本的動作を表すシーケンス図である。
【図３】ＳＤＰの表記例について示す図である。
【図４】本発明に係わる通信ネットワークシステムの一実施形態の一部の構成を示すブロック図である。
【図５】呼情報メモリの内容を示す図である。
【図６】ＩＷＦ装置においてＩｕ−ＵＰプロトコルとＲＦＣ３２６７プロトコルとの間のベアラプロトコル変換について説明する図である。
【図７】コンピュータの一構成例を示すブロック図である。
【発明を実施するための最良の形態】
【００１７】
次に、本発明の実施形態について図面を用いて説明する。【００１８】
まず、本発明の実施形態の構成について説明する。【００１９】
図１は本発明に係わる通信ネットワークシステムの一実施形態の構成を示すブロック図である。図２は本実施形態の通信ネットワークシステムの基本的動作を表すシーケンス図である。【００２０】
本実施形態の通信ネットワークシステムは、図１に示すように、Ｎｏｄｅ−Ｂ ／ 無線ネットワークコントローラ（Radio Network Controller（ＲＮＣ））１０と、ＩｕＵＰネゴシエーション結果情報取得装置となるメディアゲートウェイコントローラ（Media Gateway Controller（ＭＧＣ））１１と、インターワーキング装置となるインターワーキング (Inter Working Function（ＩＷＦ))装置１２と、メディアリソース（Media Resource Function(ＭＲＦ)）装置１３と、ＩＰマルチメディアサブシステム・メディアゲートウェイ（IP Multimedia subsystem  Media Gateway（ＩＭ−ＭＧＷ））１４と、を備えている。図１では、Node-Bとして示される無線基地局とＲＮＣとを含めて、Node-B / RNC 10として示しているが、図２に示すように、Node-B / RNC 10はＲＮＣ１０−１を含んでいる。【００２１】
Node-B / RNC 10は、３Ｇ−ＣＳ端末１６と接続されており、ＲＮＣ１０−１はＩｕＵＰのネゴシエーション結果情報を有している。ＭＧＣ１１は、ＲＮＣ１０−１との間でＩｕＵＰのネゴシエーション結果情報の送受信を実施する。また、ＭＧＣ１１は、Ｉｕ−ＵＰネゴシエーション結果情報をＩＷＦ装置１２に通知する。【００２２】
更に、ＩＷＦ装置１２はＭＧＣ１１から通知されたＩｕ−ＵＰネゴシエーション結果情報を利用して、ＭＲＦ１３との接続時にＩｕＵＰプロトコルとＲＦＣ３２６７プロトコルとの間のベアラプロトコル変換を行う。ＩＭＳ１７は、ＭＲＦ１３及びＩＭ−ＭＧＷ１４を有しており、ＩＭ−ＭＧＷ１４は、ＰＳＴＮ網１５と接続されている。【００２３】
サービスの提供を受ける等のためにＣＳ端末をＩＭＳに接続し（ＩｕＣＳを直接Ｍｂにインターワーキングし）、Ｉｕ−ＵＰの終端点がＲＮＣになるように構成されるネットワークシステムでは、ＲＢＴを流すためのＭＲＦ接続時に、ＩＷＦ装置においてＩｕ−ＵＰプロトコルとＲＦＣ３２６７プロトコルとの間のベアラプロトコル変換を行うことが必要になる。しかし、Ｉｕ−ＵＰの終端点がＲＮＣになるので、ＩＷＦ装置は、Ｉｕ−ＵＰのネゴシエーション結果情報を持っていない。このため、そのままではＩＷＦ装置にて、Ｉｕ−ＵＰプロトコルとＲＦＣ３２６７プロトコルとの間のベアラプロトコル変換を実現することができない。【００２４】
そこで、本実施形態では、ＲＮＣ１０−１とＭＧＣ１１との間にてＩｕ−ＩＰのネゴシエーション結果情報の送受信を行い、ＭＧＣ１１がＩＷＦ装置１２に対してＩｕ−ＩＰのネゴシエーション結果情報を通知する。こうして、ＩＭＦ装置がＩｕ−ＩＰのネゴシエーション結果情報を保持し、ベアラプロトコル変換を可能にする。【００２５】
３ＧＰＰ  ＴＳ２９．２３２で規定されるＭＥＧＡＣＯには、ＩｕＵＰのネゴシエーション結果の情報を、ＭＧＣ１１とＩＷＦ装置１２との間で受け渡す手法が存在しない。よって、ＭＥＧＡＣＯプロトコル内に記述するＳＤＰに、新たに定義を追加することにより、ＩｕＵＰのネゴシエーション結果情報をＭＧＣ１１とＩＷＦ装置１２との間で受け渡す。そのＳＤＰの一例を図３に示す。【００２６】
次に、本実施形態の動作であるＲＮＣ１０−１で終端したＩｕＵＰネゴシエーション結果情報を最終的に必要とするＩＷＦ装置１２へ通知する方式について図２を用いて説明する。【００２７】
３ＧＰＰ（3rd Generation Partnership Project）  ＴＳ２５．４１５の規定通り、ＲＮＣ１０ではＩｕＵＰを終端し、そのネゴシエーション結果を保持している。ＭＧＣ１１は、ＲＮＣ１０に対して、ＩｕＵＰネゴシエーション結果情報の取得要求信号を送信する（ステップＳ１）。ＲＮＣ１０は、ＩｕＵＰネゴシエーション結果情報の取得要求信号を受信すると、保持しているＩｕＵＰネゴシエーション結果情報をＭＧＣ１１へ通知するために、ＩｕＵＰネゴシエーション結果情報の応答信号をＭＧＣ１１へ返送する（ステップＳ２）。ＭＧＣ１１は、ＩｕＵＰネゴシエーション結果情報の応答信号を受信すると、その情報をＩＦＷ装置１２へ、ＩｕＵＰネゴシエーション結果情報の通知信号として送信する（ステップＳ３）。ＩｕＵＰネゴシエーション結果情報の通知信号を受信したＩＷＦ装置１２は、ＩｕＵＰネゴシエーション結果情報の応答信号を、ＭＧＣ１１へ返送する（ステップＳ４）。【００２８】
また、前述のステップＳ３におけるＩｕＵＰネゴシエーション結果情報の通知信号として、３ＧＰＰ  ＴＳ２９．２３２で規定される汎用プロトコルであるＭＥＧＡＣＯを使用する。前述したように、ＭＥＧＡＣＯプロトコル内に記述するＳＤＰに、新たに定義を追加することにより、ＩｕＵＰのネゴシエーション結果情報をＭＧＣ１１とＩＷＦ装置１２との間で受け渡す。【００２９】
以下、図４〜図６を用いて、Ｉｕ−ＵＰプロトコルのネゴシエーション結果情報の通知方法について更に具体的に説明する。【００３０】
図４に示すように、ＭＧＣ２１の呼制御部１００から、ＩｕＵＰネゴシエーション結果情報の取得要求信号Ｓｉｇ１をＲＮＣ１０へ送信する。ＲＮＣ１０は、ＩｕＵＰネゴシエーション結果情報の取得要求信号Ｓｉｇ１を受信すると、その応答信号としてＩｕＵＰネゴシエーション結果情報の応答信号Ｓｉｇ２を返送する。その応答信号Ｓｉｇ２には、ＲＮＣ１０にて終端・保持しているＩｕＵＰ  ネゴシエーション結果情報が含まれる。ＩｕＵＰネゴシエーション結果情報の応答信号Ｓｉｇ２を受信したＭＧＣ２１の呼制御部１００は、ＩｕＵＰネゴシエーション結果情報を呼情報管理部１０１に通知・設定するために、設定信号Ｓｉｇ３を送信する。設定信号Ｓｉｇ３を受信した呼情報管理部１０１は、ＭＥＧＡＣＯプロトコルのＳＤＰ情報にＩｕＵＰネゴシエーション結果情報を付加した上で、Ｓｉｇ４としてＭＥＧＡＣＯ信号をＩＷＦ２２の呼情報管理部２００に送信する。Ｓｉｇ４を受信したＩＷＦ２２の呼情報管理部２００は、プロトコル変換部２０１へＩｕＵＰネゴシエーション結果情報を設定する。その後、元の設定信号Ｓｉｇ３に対する応答信号として、応答信号Ｓｉｇ６，  Ｓｉｇ７，  Ｓｉｇ８を呼制御部１００へ返送する。これにより、プロトコル変換部２０１の呼情報メモリには、図５の通りＩｕＵＰ  ネゴシエーション結果情報とＲＦＣ３２６７情報の対応関係が設定されているため、ＩｕＵＰプロトコルとＲＦＣ３２６７プロトコルとの間のプロトコル変換が可能となる。図５の呼情報メモリのうち、呼情報番号２の場合は、ＩｕＵＰ情報ＤからＲＦＣ３２６７情報Ｅへ変換可能となる。同様に、ＲＦＣ３２６７情報ＥからＩｕＵＰ情報Ｄへ変換可能となる。以上により、図６のプロトコル変換が可能となる。【００３１】
以上により、ＭＲＦ１３との接続時にＩｕＵＰプロトコルとＲＦＣ３２６７プロトコルとの間のベアラプロトコル変換を行う必要のあるＩＷＦ装置１２に、ＲＮＣにて終端したＩｕＵＰのネゴシエーション結果情報を通知することが可能となる。【００３２】
以上の動作により、本発明の実施形態においては、以下に記載するような効果を奏する。【００３３】
本実施形態は上述したようにＲＮＣにて保持しているＩｕＵＰのネゴシエーション結果情報をＩＷＦ装置の通知することが可能となる。よって、ＲＢＴ等の音源接続のためにＭＲＦへ接続する場合においても、ＩＷＦ装置にてＩｕ−ＵＰプロトコルとＲＦＣ３２６７プロトコルとの間のベアラプロトコル変換を可能とし、ＲＢＴ等の音源サービスを提供することが出来る。【００３４】
なお、本発明の実施形態であるＲＮＣ１０、ＭＧＣ１１、ＩＷＦ装置１２及びＭＲＦ１３のそれぞれは、ハードウェアによって実現することができる。しかし、コンピュータをＲＮＣ１０、ＭＧＣ１１、ＩＷＦ装置１２及びＭＲＦ１３の各装置として機能させるためのプログラムを、コンピュータが情報記録媒体から読み出して実行することもできる。【００３５】
図７はコンピュータの一構成例を示すブロック図である。図２及び図４に示した、ＭＧＣ１１又はＩＷＦ装置１２の動作を記述したプログラムをハードディスク装置等のディスク装置３０１やＲＯＭ等の記憶装置（ここではディスク装置を示している）に記憶し、またＩｕＵＰのネゴシエーション結果情報をディスク装置３０１、又はメモリとしてのＤＲＡＭ等のＲＡＭ３０２に記憶する。ＣＰＵ３０４によりＭＧＣ１１又はＩＷＦ装置１２を実現するプログラムが実行される。表示装置としてのＬＣＤ３０３はＭＧＣ１１又はＩＷＦ装置１２の情報処理状態を表示する。３０５はデータバス等のバス、３０２はＣＰＵ３０４の情報処理に必要な情報を記憶するＲＡＭである。ＩｕＵＰのネゴシエーション結果情報は通信部３００を介してコンピュータに入出力され、呼情報メモリとなるＲＡＭ３０２に記憶される。また、上記プログラムは、ＦＤ（フロッピィディスク）等のフレキシブルディスク、ＣＤ−ＲＯＭ、ＤＶＤ、フラッシュメモリ等のコンピュータ読み取り可能な情報記録媒体に記憶されたり、インターネット等のネットワークを通して提供される。そして、それらのプログラムがコンピュータに読み込まれて実行されることによってＭＧＣ１１又はＩＷＦ装置１２を実現することができる。【００３６】
以上、本発明の代表的な実施形態について説明したが、本発明は、本願の請求の範囲によって規定される、その精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書や要約書の記載には拘束されない。さらに、特許請求の範囲の均等範囲に属する変形や変更はすべて本発明の範囲内のものである。【００３７】
本願は、２００８年７月１６日に出願された特願２００８−１８４８７０号を基礎とする優先権を主張するものである。そして、特願２００８−１８４８７０号に開示された全ての内容は本願の内容に含まれる。
【符号の説明】
【００３８】
１０  ＲＮＣ
１１  ＭＧＣ
１２  ＩＷＦ装置
１３  ＭＲＦ
１４  ＩＭ−ＭＧＷ
１５  ＰＳＴＮ網
１６  ３Ｇ−ＣＳ端末
１７  ＩＭＳ
【図１】
2010008045.tif 000003
【図２】
2010008045.tif 000004
【図３】
2010008045.tif 000005
【図４】
2010008045.tif 000006
【図５】
2010008045.tif 000007
【図６】
2010008045.tif 000008
【図７】
2010008045.tif 000009
【国際調査報告】
2010008045.tif 000010
2010008045.tif 000011